(57)【要約】【課題】軽量で信頼性に優れた電動送風機を提供する。【解決手段】界磁コア１０をフレーム４とブラケットで挟み込みボルトとナットで締付け固定される電動機部を備え、フレーム４は、電機子を回転可能に支持する軸受を保持するハウジング部１５から外周部へ伸びる円盤状のベース部１７と、界磁コアに固定されるボルト留め部１９と、外周円筒部１８まで伸びるフランジ部２４とベース部１７を繋げる支柱部２５で構成され、フランジ部２４に界磁コアに向かって突出するコア保持リブ２０を設け、コア保持リブ２０は、界磁コアの端面のヨーク部及びヨーク部とティース部の繋ぎ部の外周側形状に類似して最外周側に突き当たる位置に形成されると共にボルト留め部１９から両側に連設したもので、フレーム４の強度アップ、中心軸の傾き防止が図れる。【選択図】図２
2018150824.tif 000002
【特許請求の範囲】
【請求項１】
複数のブレードを有する遠心形のファンと、前記ファンから排出された風を整流するエアガイドと、それらを覆い中央に吸気孔が開口しているファンケースなどから構成される送風部を有し、回転軸に圧入され軸受により回転可能に支持された電機子と、前記電機子の外周に配置された界磁と、前記界磁を構成する界磁巻線と前記電機子を構成する電機子巻線を通電接続するブラシユニットなどを内蔵し、前記界磁を構成する界磁コアをフレームとブラケットで挟み込み、前記界磁コアに設けられたボルトを内蔵する円形形状若しくは半円形状の切り欠き貫通孔を介してボルトとナットなどで締付け固定する電動機部で構成される電動送風機において、前記フレームは、中央に位置し前記軸受を保持するハウジング部と、前記ファンの下に位置し前記ハウジング部から外周部へ伸びる円盤状のベース部と、前記ファンケースが圧入される外周円筒部と、前記界磁コアに固定されるボルト留め部と、前記エアガイドの戻り通路リブと接触し前記外周円筒部まで伸びるフランジ部と、前記ベース部と前記フランジ部を繋げる支柱部で構成され、前記フランジ部には、前記界磁コアの軸方向端面に向かって突出するコア保持リブを設け、前記コア保持リブは、前記界磁コアの軸方向端面のヨーク部及び前記ヨーク部とティース部の繋ぎ部の外周側形状に類似して最外周側に突き当たる位置に形成されると共に前記ボルト留め部から両側に一連で構成されたことを特徴とする電動送風機。
【請求項２】
コア保持リブは、界磁コアのティース部側にも前記ティース部の外周形状に類似して最外周側に突き当たる位置で、片側の繋ぎ部から反対側の繋ぎ部まで繋がった一連で形成されると共に、ティース側外周部の中央部は前記界磁コアの外周位置よりも最も軸から離れる方向に形成されたことを特徴とする請求項１に記載の電動送風機。
【請求項３】
フランジ部は支柱部から外周側のファン方向へ傾いた略円錐形に形成されたことを特徴とする請求項１または２に記載の電動送風機。
【請求項４】
フランジ部は、ファン側が凹形状で反ファン側が凸形状のビード部を複数有し、前記ビード部の複数の凹形状の溝は全て軸に対し略直角な平面上に位置し、エアガイドの複数の戻り通路リブの端部も同様に全て前記軸に対し略直角な平面上に位置すると共に前記溝に内蔵されることを特徴とする請求項３に記載の電動送風機。
【請求項５】
請求項１〜４のいずれか１項に記載の電動送風機を搭載した電気掃除機。
【発明の詳細な説明】
【技術分野】
【０００１】
本発明は、電動機部で得られる回転力によりファンを回転させて送風作用を営む電動送風機及び、それを搭載して運転される電気掃除機に関するものである。
【背景技術】
【０００２】
従来、この種の電動送風機は電機子及び界磁をブラケット・フレームからなるケーシングに内蔵し電動機部を構成している。しかしながら、近年の小型・軽量化の要求に対応するため、界磁コアをブラケットとフレーム（若しくはエアガイドと一体化されたフレーム）でボルト等により挟み込み固定する電動機部が提案されている（例えば、特許文献１参照）。
【０００３】
図８は、上記特許文献１に記載された従来の電動送風機の半断面図、図９（ａ）は、同電動送風機のエアガイドと一体化されたフレームの平面図、図９（ｂ）は、同フレームの側面図、図９（ｃ）は、同フレームの裏面図である。
【０００４】
図８、９において、従来の電動送風機４０は、大別して送風部４２と電動機部４３から構成され、送風部４２は、複数のブレード１を有する遠心形のファン２と、それを覆い中央に吸気孔３ａが開口しているファンケース３と、エアガイドと一体形成されたフレーム４から構成されている。
【０００５】
電動機部４３は、回転軸５に圧入され軸受６により回転可能に支持された電機子７（巻線は省略）と、電機子７の外周に配置された界磁８と、界磁巻線（図示せず）と電機子巻線（図示せず）を通電接続するブラシユニット９を内蔵し、界磁コア１０をフレーム４とブラケット１１で挟み込み、界磁コア１０に設けられたボルトを内蔵する円形形状若しくは半円形状の切り欠き貫通孔１２を介してボルト１３とナット１４で締付けて構成されている。
【０００６】
エアガイドと一体形成されたフレーム４は、中央に軸受６を保持するハウジング部１５と、ファン２から流出した風を整流する傾斜通路部１６と、ファン２の下に位置しハウジング部１５と傾斜通路部１６を繋ぐ円盤状のベース部１７と、ファンケース３が圧入固定される外周円筒部１８と、ベース部１７から界磁コア１０側に突出し界磁コア１０にボルト１３により固定されるボルト留め部１９と、界磁コア１０を保持するコア保持リブ２０で構成されている。
【先行技術文献】
【特許文献】
【０００７】
【特許文献１】特開２００３−２３２２９８号公報
【発明の概要】
【発明が解決しようとする課題】
【０００８】
しかしながら上記特許文献１に記載されたような従来の電動送風機の構成では、界磁コア１０の固定がボルト１３の２箇所となるため、ボルト留め部１９に対し９０度に位置する部分では界磁コア１０を支持する部分が存在しないため、強度が弱く、ボルト留め部１９側に比べ振動が大きくなるという課題があった。
【０００９】
更に、２箇所固定のため、界磁コア１０の平面部に対するフレーム４の中心軸がずれたり、傾きを発生し、電機子７の回転に影響を与え、電動送風機の振動が増大する危険性が
あった。
【００１０】
また、界磁コア１０を保持するボルト留め部１９及びコア保持リブ２０は円盤上のベース部１７の端面位置から界磁コア１０に向かって突出するため、長さが長く、質量増と排気風路の障壁となるだけでなく、界磁コア１０を安定して保持することが困難であった。
【００１１】
界磁コア１０を確実に安定して保持するためにコア保持リブ２０を大きくし数を増やすことも可能であるが、質量が増加するだけでなく、風の流れの障壁となり、送風効率を低下させる課題があった。
【００１２】
また、上記構成ではフレーム４の反ベース部１７側が開放状態となるため、傾斜通路部１６を通過した風が戻り通路リブ２１間を通過する際に、排気風の大部分が電動機部４３を冷却することなく排出されるため、温度上昇が課題となることがあった。
【００１３】
本発明は、前記従来の課題を解決するもので、部品を追加することや材厚を大きくすることなく、フレーム形状を改良することにより、フレームの強度アップとフレーム中心軸のずれや傾きの防止を図り、信頼性と軽量化を両立した電動送風機、及びそれを搭載して運転される信頼性と軽量化を両立した電気掃除機を提供することを目的とする。
【課題を解決するための手段】
【００１４】
前記従来の課題を解決するために、本発明の電動送風機は、複数のブレードを有する遠心形のファンと、前記ファンから排出された風を整流するエアガイドと、それらを覆い中央に吸気孔が開口しているファンケースなどから構成される送風部を有し、回転軸に圧入され軸受により回転可能に支持された電機子と、前記電機子の外周に配置された界磁と、前記界磁を構成する界磁巻線と前記電機子を構成する電機子巻線を通電接続するブラシユニットなどを内蔵し、前記界磁を構成する界磁コアをフレームとブラケットで挟み込み、前記界磁コアに設けられたボルトを内蔵する円形形状若しくは半円形状の切り欠き貫通孔を介してボルトとナットなどで締付け固定する電動機部で構成される電動送風機において、前記フレームは、中央に位置し前記軸受を保持するハウジング部と、前記ファンの下に位置し前記ハウジング部から外周部へ伸びる円盤状のベース部と、前記ファンケースが圧入される外周円筒部と、前記界磁コアに固定されるボルト留め部と、前記エアガイドの戻り通路リブと接触し前記外周円筒部まで伸びるフランジ部と、前記ベース部と前記フランジ部を繋げる支柱部で構成され、前記フランジ部には、前記界磁コアの軸方向端面に向かって突出するコア保持リブを設け、前記コア保持リブは、前記界磁コアの軸方向端面のヨーク部及び前記ヨーク部とティース部の繋ぎ部の外周側形状に類似して最外周側に突き当たる位置に形成されると共に前記ボルト留め部から両側に一連で構成されたもので、フレームのコア保持リブはフランジ部から短い距離で界磁コアを支持することが可能となり、かつ、コア保持リブは略コの字形で形成されるため、コア保持リブの剛性が高まり、フレーム全体の強度アップと中心軸のずれや傾き防止を図れ、より信頼性の高い電動送風機、もしくは、同等の信頼性で軽量化を可能とした電動送風機を実現できる。
【００１５】
また、フレームとエアガイドを分離して構成することにより、抜き方向などの金型上の制約が減り、設計自由度が増す。また、材料も部品ごとに設定できるため、エアガイドには成型性が良く比重が軽いＰＰ材などを使用することで、軽量でボリュートリブを形成することが可能となり送風効率を向上させることができ、フレームには耐熱性や強度が高いＰＢＴ材などを使用することでより信頼性を向上させることが可能となる。
【００１６】
第５の発明に係る電気掃除機は、請求項１〜４のいずれか１項に記載の電動送風機を搭載したもので、軽量かつ信頼性が向上した電気掃除機を提供することができる。
【発明の効果】
【００１７】
本発明の電動送風機は、フレームの強度が向上するので信頼性の高い電動送風機若しくは同等の信頼性で軽量化された電動送風機を提供することができる。また、その電動送風機を電気掃除機に搭載することで信頼性が向上した電気掃除機を提供することができる。
【図面の簡単な説明】
【００１８】
【図１】本発明の実施の形態１における電動送風機の断面図
【図２】同電動送風機の界磁コアとフレームの裏面斜視図
【図３】本発明の実施の形態２における電動送風機のフレームの裏面斜視図
【図４】同フレームと界磁コアの関係を示す斜視図
【図５】本発明の実施の形態３における電動送風機のフレームの断面図
【図６】本発明の実施の形態４における電動送風機のフレームの要部断面斜視図
【図７】同フレームの裏面断面斜視図
【図８】従来の電動送風機の半断面図
【図９】（ａ）同電動送風機のエアガイドと一体化されたフレームの平面図、（ｂ）同フレームの側面図、（ｃ）同フレームの裏面図
【発明を実施するための形態】
【００１９】
第１の発明は、複数のブレードを有する遠心形のファンと、前記ファンから排出された風を整流するエアガイドと、それらを覆い中央に吸気孔が開口しているファンケースなどから構成される送風部を有し、回転軸に圧入され軸受により回転可能に支持された電機子と、前記電機子の外周に配置された界磁と、前記界磁を構成する界磁巻線と前記電機子を構成する電機子巻線を通電接続するブラシユニットなどを内蔵し、前記界磁を構成する界磁コアをフレームとブラケットで挟み込み、前記界磁コアに設けられたボルトを内蔵する円形形状若しくは半円形状の切り欠き貫通孔を介してボルトとナットなどで締付け固定する電動機部で構成される電動送風機において、前記フレームは、中央に位置し前記軸受を保持するハウジング部と、前記ファンの下に位置し前記ハウジング部から外周部へ伸びる円盤状のベース部と、前記ファンケースが圧入される外周円筒部と、前記界磁コアに固定されるボルト留め部と、前記エアガイドの戻り通路リブと接触し前記外周円筒部まで伸びるフランジ部と、前記ベース部と前記フランジ部を繋げる支柱部で構成され、前記フランジ部には、前記界磁コアの軸方向端面に向かって突出するコア保持リブを設け、前記コア保持リブは、前記界磁コアの軸方向端面のヨーク部及び前記ヨーク部とティース部の繋ぎ部の外周側形状に類似して最外周側に突き当たる位置に形成されると共に前記ボルト留め部から両側に一連で構成されたもので、フレームのコア保持リブはフランジ部から短い距離で界磁コアを支持することが可能となり、かつ、コア保持リブは略コの字形で形成されるため、コア保持リブの剛性が高まり、フレーム全体の強度アップと中心軸のずれや傾き防止を図れ、より信頼性の高い電動送風機、もしくは、同等の信頼性で軽量化を可能とした電動送風機を実現できる。
【００２０】
また、フレームとエアガイドを分離して構成することにより、抜き方向などの金型上の制約が減り、設計自由度が増す。また、材料も部品ごとに設定できるため、エアガイドには成型性が良く比重が軽いＰＰ材などを使用することで、軽量でボリュートリブを形成することが可能となり送風効率を向上させることができ、フレームには耐熱性や強度が高いＰＢＴ材などを使用することでより信頼性を向上させることが可能となる。
【００２１】
第２の発明は、特に、第１の発明のコア保持リブは、界磁コアのティース部側にも前記ティース部の外周形状に類似して最外周側に突き当たる位置で、片側の繋ぎ部から反対側の繋ぎ部まで繋がった一連で形成されると共に、ティース側外周部の中央部は前記界磁コアの外周位置よりも最も軸から離れる方向に形成されたもので、更なるフレーム全体の強度アップと中心軸のずれや傾き防止を図れ、かつ、界磁巻線の効率的な冷却と接触防止を
実現できる。
【００２２】
第３の発明は、特に、第１若しくは第２の発明のフランジ部は支柱部から外周側のファン方向へ傾いた略円錐形に形成されたもので、中心軸から距離があり荷重による変位量が大きいフランジ部の強度アップが図れる。戻り通路リブ間に形成される戻り通路を中心部に向かって面積を滑らかに拡大し中央部へ誘導することが可能となり送風効率の向上も実現できる。また、金属で形成されるファンケースの外周部の軸長を短くすることも可能で材料費削減と質量低減も実現できる。
【００２３】
第４の発明は、特に、第３の発明のフランジ部は、ファン側が凹形状で反ファン側が凸形状のビード部を複数有し、前記ビード部の複数の凹形状の溝は全て軸に対し略直角な平面上に位置し、エアガイドの複数の戻り通路リブの端部も同様に全て前記軸に対し略直角な平面上に位置すると共に前記溝に内蔵されるもので、エアガイドの戻り通路リブ端面は傾斜面ではなく平面とすることが可能となりエアガイドの金型のメンテナンスが容易でフレームのフランジ部との接触も安定でき、よりフランジ部の強度アップが図れる。
【００２４】
また、エアガイドの戻り通路リブ端部側がフレームにより塞がれるため、戻り通路リブ間に形成される戻り通路部を通過した風は電動機部の外部へ漏れることなく導かれるため、効率良く界磁、電機子、ブラシユニットを冷却でき、より信頼性の高い電動送風機を実現できる。
【００２５】
第５の発明に係る電気掃除機は、請求項１〜４のいずれか１項に記載の電動送風機を搭載したもので、信頼性が向上した電気掃除機を提供することができる。
【００２６】
以下、本発明の実施の形態について、図面を参照しながら説明する。なお、この実施の形態によって本発明が限定されるものではない。
【００２７】
（実施の形態１）
図１は、本発明の実施の形態１における電動送風機の断面図、図２は、同電動送風機の界磁コアとフレームの裏面斜視図である。
【００２８】
図１、２において、本実施の形態における電動送風機４１は、送風部４２と電動機部４３から構成され、送風部４２は、複数のブレード１を有する遠心形のファン２と、前記ファン２から排出された風を整流するエアガイド２２と、それらを覆い中央に吸気孔３ａが開口しているファンケース３などから構成されている。
【００２９】
電動機部４３は、回転軸５に圧入された軸受６により回転可能に支持された電機子７と、前記電機子７の外周に配置された界磁８と、前記界磁８を構成する界磁巻線(図示せず)と前記電機子７を構成する電機子巻線(図示せず)を接続通電するブラシユニット９などを内蔵し、前記界磁８を構成する界磁コア１０の軸方向の両面側をフレーム４とブラケット１１で挟み込み、界磁コア１０のヨーク部３０に設けられたボルトを内蔵する円形形状若しくは半円形状の切り欠き貫通孔１２、及び、フレーム４及びブラケット１１の前記ボルトを内蔵する円形形状若しくは半円形状の切り欠き貫通孔１２に対応する位置に設けられた連通孔２３にボルト１３を挿入し、ボルト１３をナット１４等で締め付け一体固定して構成されている。
【００３０】
図２に示すように、フレーム４は、中央に軸受６を保持するハウジング部１５と、ファン２の下に位置しハウジング部１５から外周へ伸びる略円盤状のベース部１７と、ファンケース３が圧入される外周円筒部１８と、エアガイド２２の戻り通路リブ２１と接触し外周円筒部１８から中心方向へ伸びる略円盤状のフランジ部２４と、ベース部１７とフラン
ジ部２４を軸方向に繋げる支柱部２５と、ベース部１７から界磁コア１０側に突出し界磁コア１０にボルト１３により固定されるボルト留め部１９と、同様に界磁コア１０を保持するコア保持リブ２０で構成されている。
【００３１】
本実施の形態におけるコア保持リブ２０は、フランジ部２４の支柱部２５と接続する内周部の軸方向反支柱部２５側に、界磁コア１０の軸方向端面のヨーク部３０(図４参照)及びヨーク部３０とティース部３１(図４参照)の繋ぎ部３２（図４参照）の外周側形状に類似して最外周側に突き当たる位置に形成され、ボルト留め部１９を中心に両側のヨーク側外周部２６とヨーク部３０（図４参照）とティース部３１(図４参照)の繋ぎ部側外周部２７まで一連で構成され、界磁コア１０の軸方向端面と当接する構成としたものである。
【００３２】
以上のように構成された本実施の形態における電動送風機４１の動作、作用を説明する。
【００３３】
フレーム４のコア保持リブ２０は、フランジ部２４から短い距離で界磁コア１０を支持することが可能となり、かつ、コア保持リブ２０は略コの字形で形成されるため、コア保持リブ２０が強固となり、外力や振動により変形することを防止でき、フレーム４全体の強度アップ及び固有振動周波数を大きくすることができ、また、中心軸のずれや傾き防止を図れ、より信頼性の高い電動送風機４１、もしくは、同等の信頼性で軽量化を可能とした電動送風機４１を実現できる。また、コア保持リブ２０が風路を塞がないため、送風効率が低下することがない。
【００３４】
また、エアガイド２２とフレーム４は別部品なので、金型抜き方向による制約が減り、設計自由度が増し、材料も部品ごとに設定できるため、エアガイド２２には成型性が良く比重が軽いＰＰ材などを使用し、フレーム４には耐熱性や強度が高いＰＢＴ材などを使用するようにすれば、より送風効率が高く、より信頼性の高い軽量の電動送風機４１を実現できる。
【００３５】
また、エアガイド２２の戻り通路リブ２１間の戻り通路部は、フレーム４のフランジ部２４により閉塞されるため、排気風は漏れなく電動機部４３を通過し電機子７及び界磁８及びブラシユニット９を冷却できるため、より信頼性の高い電動送風機４１を実現できる。
【００３６】
（実施の形態２）
図３は、本発明の実施の形態２における電動送風機のフレームの裏面斜視図、図４は、同フレームと界磁コアの関係を示す斜視図である。なお上記実施の形態１における電動送風機と同一部分については同一符号を付してその説明を省略する。
【００３７】
図３において、本実施の形態における電動送風機４１のフレーム４のコア保持リブ２０は、フランジ部２４の支柱部２５と接続する内周部の軸方向反支柱２５側に界磁コア１０の軸方向端面の最外周側近傍に突出位置し、ボルト留め部１９を中心に両側のヨーク側外周部２６とヨーク部３０とティース部３１の繋ぎ部側外周部２７とティース側外周部２８まで一連で構成され、ティース側外周部２８では、中央位置２９が界磁コア１０から最も遠く位置している。
【００３８】
図４を用いてフレーム４と界磁コア１０との関係をさらに説明すると、界磁コア１０のヨーク部３０と、ティース部３１と、ヨーク部３０とティース部３１の繋ぎ部３２に対応する形で、フレーム４のヨーク側外周部２６と、ティース側外周部２８と、ヨーク部３０とティース部３１の繋ぎ部側外周部２７が形成され、ティース側外周部２８の中央位置２９は界磁コア１０から最も離れた位置で形成されている。
【００３９】
本実施の形態における電動送風機４１のフレーム４は以上のように構成されていることにより、コア保持リブ２０は、２箇所のボルト留め部１９と繋がった一体構造となり、フランジ部２４とも略９０度で折り返し繋がった構成となるため、更なるフレーム４全体の強度アップと中心軸のずれや傾き防止を図ることができる。
【００４０】
また、排気風は、電動機部４３内部に流れるだけでなく、界磁８の内外両側を流れるため、効率的に界磁８を冷却することが可能となり、より信頼性の高い電動送風機４１を実現できる。
【００４１】
（実施の形態３）
図５は、本発明の実施の形態３における電動送風機のフレームの断面図である。なお上記実施の形態における電動送風機と同一部分については同一符号を付してその説明を省略する。
【００４２】
本実施の形態における電動送風機のフレームは、図５に示すように、略円盤状のフランジ部２４を、支柱部２５から外周側のファン２方向へ傾いた略円錐形に形成したものである。
【００４３】
本実施の形態における電動送風機４１のフレーム４は以上のように構成されていることにより、中心軸から距離があり荷重による変位量が大きいフランジ部２４の強度アップが図れ、更なるフレーム４全体の強度アップと中心軸のずれや傾き防止を図れる。
【００４４】
更に、エアガイド２２の戻り通路リブ２１とフランジ部２４で形成される戻り通路を外周から中心部へ向かって面積を滑らかに拡大し中心部へ誘導することが可能となり、送風効率の向上も実現できる。また、金属で形成されるファンケース３の外周部軸長を短くすることも可能となり材料費削減と質量低減も実現できる。
【００４５】
（実施の形態４）
図６は、本発明の実施の形態４における電動送風機のフレームの要部断面斜視図、図７は、同フレームの裏面断面斜視図である。なお上記実施の形態における電動送風機と同一部分については同一符号を付してその説明を省略する。
【００４６】
本実施の形態における電動送風機のフレーム４は、図６、７に示すように、フランジ部２４の戻り通路リブ２１が当接する部分でファン２側が凹形状で反ファン２側が凸形状のビード部３４を複数設けると共に、凹形状の溝３３に戻り通路リブ２１を内蔵する構成とし、全ての溝３３を軸に対して略直角な平面上に位置させ、さらに戻り通路リブ２１の全ての端部が軸に対し略直角な平面に形成したものである。
【００４７】
本実施の形態における電動送風機４１のフレーム４は以上のように構成されていることにより、戻り通路リブ２１の端部が平面で管理できるため、金型メンテナスが容易で、フランジ部２４との片接触による変形や振動悪化を防止できる。また、ビード部３４の溝３３及び凸形状の部分が補強リブとなり、よりフレーム４の強度の強化が実現できる。
【００４８】
以上のように、上記実施の形態における電動送風機４１は、従来品と同等の強度であれば大幅な軽量化が実現でき、従来品と同等質量であれば、大幅な強度アップが図られると共に信頼性が大幅に向上することが可能となる。また、この電動送風機４１を電気掃除機（図示せず）に搭載することにより、小型軽量で信頼性の高い電気掃除機を提供することができる。
【産業上の利用可能性】
【００４９】
以上のように、本発明にかかる電動送風機は、十分な強度を保持したまま軽量化を実現でき、電気掃除機だけでなく、送風作用を用いるエアータオルや吸引機、電動工具等の用途にも適用できる。
【符号の説明】
【００５０】
１  ブレード
２  ファン
３  ファンケース
３ａ  吸気孔
４  フレーム
５  回転軸
６  軸受
７  電機子
８  界磁
９  ブラシユニット
１０  界磁コア
１１  ブラケット
１２  ボルトを内蔵する円形形状若しくは半円形状の切り欠き貫通孔
１３  ボルト
１４  ナット
１５  ハウジング部
１６  傾斜通路部
１７  ベース部
１８  外周円筒部
１９  ボルト留め部
２０  コア保持リブ
２１  戻り通路リブ
２２  エアガイド
２３  連通孔
２４  フランジ部
２５  支柱部
２６  ヨーク側外周部
２７  繋ぎ部側外周部
２８  ティース側外周部
２９  中央位置
３０  ヨーク部
３１  ティース部
３２  繋ぎ部
３３  溝
３４  ビード部
４１  電動送風機
４２  送風部
４３  電動機部
【図１】
2018150824.tif 000003
【図２】
2018150824.tif 000004
【図３】
2018150824.tif 000005
【図４】
2018150824.tif 000006
【図５】
2018150824.tif 000007
【図６】
2018150824.tif 000008
【図７】
2018150824.tif 000009
【図８】
2018150824.tif 000010
【図９】
2018150824.tif 000011